(57)【要約】三次元で測定及びデジタル化したモデルに基づき義歯（５）を作成するための方法において、作成される義歯（５）の取扱い、経済性及び品質の改善のために、下記の処置：即ちデジタル化した陽性モデルからデータを読取り、その後の義歯（５）と歯根（１、２）の間にギャップ（７、８）を形成するために陽性モデルの内面（９）に所定のオフセット値を適用し、工作機械による半成品又は型の加工のためのプログラムを計算することを包含する方法を提案する。【選択図】図１
2004534608.tif 000002
【特許請求の範囲】
【請求項１】
三次元で測定及びデジタル化した陽性モデルに基づき、歯根（１、２）に固定する義歯（５）を作成するために、
−デジタル化した陽性モデルからデータを読取り、
−その後の義歯（５）と歯根（１、２）の間にギャップ（７、８）を形成するために陽性モデルの内面（９）に所定のオフセット値を適用し、
−義歯作成用の工作機械による半成品の加工のためのプログラムを計算する、
工程を備えた方法において、
義歯（５）のための材料として、義歯の通常の利用で最大限現われる引張応力が使用材料の引張強さの約０．１−０．７倍に相当する材料を使用することを特徴とする方法。
【請求項２】
義歯に最大限現われる引張応力が使用材料の引張強さの≦０．５倍、特に０．２−０．５倍に相当するように義歯を作成することを特徴とする請求項１に記載の方法。
【請求項３】
陽性モデルの内面（９）のデータと陽性モデルの外面（１２）のデータを比較することによってデータモデルの肉厚を計算し、この肉厚の値と肉厚最小値を比較し、少なくとも肉厚最小値が得られるように陽性モデルの外面（１２）のデータを修正し、ないしは警告を発する工程を更に備えることを特徴とする請求項１に記載の方法。
【請求項４】
肉厚最小値が少なくとも約０．０５ｍｍ、とりわけ約０．０５ｍｍ−１．０ｍｍ、特に０．１ｍｍ−０．８ｍｍであることを特徴とする請求項３に記載の方法。
【請求項５】
肉厚最小値が少なくとも０．３ｍｍであることを特徴とする請求項４に記載の方法。
【請求項６】
歯根（１、２）からなる２本の支柱の間の区域（１３、１４）のブリッジ部材の材料横断面を計算し、この横断面と最小値を比較し、少なくとも最小値が得られるように陽性モデルの外面（１２）のデータを修正し、ないしは警告を発する工程を更に備えることを特徴とする請求項１ないし５のいずれか１つに記載の方法。
【請求項７】
横断面の最小値が少なくとも約２ｍｍ２、とりわけ約２ｍｍ２−７ｍｍ２であることを特徴とする請求項６に記載の方法。
【請求項８】
横断面の最小値が少なくとも７ｍｍ２であることを特徴とする請求項７に記載の方法。
【請求項９】
オフセット値を軸に応じて設定することを特徴とする請求項１に記載の方法。
【請求項１０】
オフセット値が１５０μｍ以下であることを特徴とする請求項１ないし９のいずれか１つに記載の方法。
【請求項１１】
空洞部の縁端のオフセット値が約≦５μｍ、とりわけ約≦２．８μｍ、特に≦１．５μｍであることを特徴とする請求項１ないし１０のいずれか１つに記載の方法。
【請求項１２】
陽性モデルの隣接区域のデータに基づいてデータの妥当性検査を行い、場合によっては警告を発する工程を更に備えることを特徴とする請求項１ないし１１のいずれか１つに記載の方法。
【請求項１３】
個々の欠陥のあるデータ点又は妥当でないデータ点を、陽性モデルの隣接区域のデータに基づき補間値に置き換える工程を更に備えることを特徴とする請求項１ないし１２のいずれか１つに記載の方法。
【請求項１４】
隣接区域のデータに基づきアンダーカットについて陽性モデルの内面（９）のデータの検査を行い、場合によっては警告を発する工程を更に備えることを特徴とする請求項１ないし１３のいずれか１つに記載の方法。
【請求項１５】
平滑化関数によりデータモデルの外面ないしは内面（１２）を平滑化する工程を更に備えることを特徴とする請求項１ないし１４のいずれか１つに記載の方法。
【請求項１６】
表面モデルの内面の半径を計算し、半径の値を最小半径と比較し、少なくとも最小半径が得られるまで空洞部が拡大されるように陽性モデルの内面のデータを修正し、ないしは警告を発する工程を更に備えることを特徴とする請求項１ないし１５のいずれか１つに記載の方法。
【請求項１７】
後続の加工の際の工具輪郭に適応させるために、陽性モデルに所定のオフセット値を適用する工程を更に備えることを特徴とする請求項１ないし１６のいずれか１つに記載の方法。
【請求項１８】
仕上加工時の義歯材料の収縮又は膨張を補償するために、陽性モデルのデータに拡大率を適用する工程を更に備えることを特徴とする請求項１ないし１７のいずれか１つに記載の方法。
【請求項１９】
表面モデルに関する拡大率が異方性ないしは非線形であることを特徴とする請求項１ないし１８のいずれか１つに記載の方法。
【請求項２０】
表面モデルに関する拡大率が三次元伝達関数ｆ（ｘ，ｙ，ｚ）によって決定されることを特徴とする請求項１ないし１９のいずれか１つに記載の方法。
【請求項２１】
三次元伝達関数ｆ（ｘ，ｙ，ｚ）がセラミック半成品の三次元密度分布Ｆ（ｘ，ｙ，ｚ）によって決定されることを特徴とする請求項１ないし２０のいずれか１つに記載の方法。
【請求項２２】
加工する半成品に割当てられた伝達関数ｆ（ｘ，ｙ，ｚ）又は密度分布Ｆ（ｘ，ｙ，ｚ）をデータ媒体から読み取ることを特徴とする請求項１ないし２１のいずれか１つに記載の方法。
【請求項２３】
データ媒体がバーコードラベル、トランスポンダタグ又は半成品に取り付けられた識別手段を介してアクセスできるデータバンクであることを特徴とする請求項１ないし２２のいずれか１つに記載の方法。
【請求項２４】
陽性モデルの外面ないしは内面の半径と、少なくとも約０．１ｍｍ、とりわけ約０．２ｍｍ、特に０．３ｍｍの最小半径とを比較し、陽性モデルの外面ないしは内面のデータを最小半径に修正し、ないしは警告を発する工程を更に備えることを特徴とする請求項１ないし２３のいずれか１つに記載の方法。
【発明の詳細な説明】
【技術分野】
【０００１】
本発明は、歯根に固定する義歯を三次元で測定及びデジタル化した陽性モデルから作成するために下記の工程、
即ち
−デジタル化した陽性モデルからデータを読み取り、
−その後の義歯と歯根の間にギャップを形成するために陽性モデルの内面に所定のオフセット値を適用し、
−義歯作成用の工作機械による半成品の加工のためのプログラムを計算する
ことを包含する方法に関する。
【０００２】
本発明は特に準備された自然及び／又は人工歯根等に固定する義歯、特に歯冠及び／又は歯橋のための基体の作成に関する。
【背景技術】
【０００３】
人工歯橋及び歯冠の作成のための幾つかの装置と方法が知られている。一般に歯冠又は歯橋を受けるための定着用の歯を研削して整え又はピンを植え込んで歯科的準備を行った後に歯根、歯周及び顎の型が作られる。これは通常シリコン注型材で行われるが、他の材料も知られている。
【０００４】
型（メス型）から石膏で型取りして、いわゆるマスターモデルを作成することができる。このマスターモデルは患者の口中の状態をオス型で示す。歯科技工士は手工業的技能を用いてこのマスターモデルでろう又は低温で融解又は重合する硬化性プラスチックから義歯の基体を型取りする（陽性モデル）。この場合歯科技工士は現存するマスターモデルにより他方の顎の反対咬合も考慮することができる。
【０００５】
旧来は歯科技工士が作成した型を耐火性材料に埋め込み、融解して取り除く。こうして生じた鋳型で基体を慣用の歯科用合金で精密鋳造により作成することができる。
【０００６】
通常、美容上の理由から少なくとも前歯区域ではさらにセラミック又はプラスチックで外装が行われる。
【０００７】
ろう型の形成に続いて、基体モデルの外面と内面を全面的にデジタル化することが国際公開ＷＯ９９／４７０６５により周知である。それによれば患者の口中の状態を不完全に再現する型を、三次元の外面と内面に関してコンピュータ技術で補完する。デジタル化とコンピュータ技術的補完の結果、作成された義歯基体の全表面がデジタルで記述されるという。
【０００８】
ろう型のデジタル化で得たデータにより多孔質セラミックの半成品を加工することができるように、国際公開ＷＯ９９／４７０６５では焼結時の半成品の収縮を補償するために、デジタル化された物体の表面モデルの寸法をすべての空間方向で線形に拡大することが詳しく説明される。その場合半成品とそれから作られたブリッジ基体のかさ比重の比に基づき、所定の関数によって拡大率ｆが出てくるという。
【０００９】
拡大された表面のデータから加工機械のための制御命令が発生され、これによって半成品から拡大されたブリッジ基体が作出される。計算により拡大されたブリッジ基体の表面に対して分増しを設けない。加工した面はデジタル化した物体に比して焼結収縮の後に正確に同じ寸法になるという。再加工は別に行わないとのことである。
【００１０】
国際公開ＷＯ９９／４７０６５では、さらに機械的又は視覚的に検出可能な、拡大率ｆを含む識別コードを半成品自体又はその包装、タグ又は同封カードに添付した半成品をブリッジ基体の作成のために使用することが提案されている。
【００１１】
ブリッジ基体のろう型は、形成した歯根のシリコーン材料製のメス型を石膏で型取りしてオス型として作成し、その際後でセメントギャップを形成するために歯根にあらかじめ手操作で間隔保持塗料を塗布するという。
【００１２】
デジタル化は機械的又は光学的に行うことができる。この点については例えば機械的デジタル化に関して米国特許第４，１８２，３１２号により、光学的デジタル化に関して欧州特許公開第００５４７８５号により周知の、形成歯根又は型に基づく患者の口内のデジタル化方法を参照されたい。
【発明の開示】
【発明が解決しようとする課題】
【００１３】
米国特許第４，１８２，３１２号で公知の機械的デジタル化の重大な欠点は、走査を直接に患者の口腔内で行うので、機械式走査装置を患者に固定することである。従って装置を狭い口腔内で確実に操作することに難しい問題がある。ならいフライス盤のように、歯及び歯周組織を走査することによって義歯作成用の加工機械が直接に制御されなければならない。
【００１４】
そのために歯科医がプローブとそれに固定された伝達機構を患者の口内の当該の表面上で移動しなければならない。面の完全な検出は極めて多くの走査運動を必要とし、それが所要時間に関連して患者にとって大きな負担になる。さらに加工工具の形状に応じてプローブ先端部を取り替えなければならない。
【００１５】
欧州特許公開第００５４７８５号に記載された方法では、撮影ヘッドを患者の口中に入れるという。この撮影ヘッドは歯の空洞部等の三次元像を検出するとのことである。そのために画像データがコンピュータ画面に出力されるから、歯科医は撮影ヘッドの配置が十分に精密な映像を可能にするか否かを検査することができるという。場合によっては撮影ヘッドのより有利な配置を適当に変更することができる。
【００１６】
適切と認められる位置に到達したならば、−詳しい説明はないが−歯の空洞部等の三次元像が空間的に寸法どおりに形成されるという。次にＣＡＤ（計算機援用）構造のようにデータレコードを補間及び手動処理して、当該の義歯本体のモデル化が完了するまで、当該のデータを補完する。次に冒頭に述べた手工業的製作段階を回避して、適合する義歯を画像表示から直接作成するために、当該のデータを適当な半成品の加工のために使用する。
【００１７】
この方法でも患者の口中でのカメラの煩雑な取扱いが実際に欠点であることが判明した。特にこのことは患者に大変な苦行を要求するのである。
【００１８】
さらに上記の文献で説明しているように、天然の歯質は半透明の性質を有するから、所定の反射条件を維持するために、測定しようとする歯を粉末で被覆することが必要である。さもなければ半透明性に基づき光の一部が測定される歯根に無秩序に入り込み、事情によってはより深い層で反射され、それが誤った結果を招くことになる。しかし粉末の塗布は当然のことながら患者の口内の窮屈な条件により実際に必ず不均一になるから、反射粉末による被覆は同時に誤差を増加する。また撮影装置の解像力が限られており、測定される口内の照明条件が困難であることが欠点である。
【００１９】
形成した歯をデジタル化し、デジタル化したモデル歯を考慮して義歯を作成する義歯部材の作成方法がドイツ特許第１９６４２２４７号により周知である。国際公開ＷＯ９４／２７５２３によれば義歯の作成のために歯、歯の形成部分、歯型又は歯の複製の計測が行われる。計測のために三角点測量法が応用される。
【００２０】
厳密な形状の義歯の粉末冶金的作成方法が欧州特許第０７７４９３３号により周知である。その場合直接に口内で又は石膏型で形成歯の三次元光学的又は機械的読取りが行われる。義歯の作成の際に義歯と形成歯を結合するセメント層も考慮に入れる。
【００２１】
義歯の作成の仕方とは別に、美的理由から義歯をなるべくほっそりと設計するように心がける。また経験によれば歯科技工用型の設計はまず第一に美的観点に従って、後の外装のために十分な場所を取って行われる。このため十分な機械的構造の必要性が軽視され、それとともにこうして作成された義歯の寿命が不利な影響をこうむる。
【００２２】
本発明の目的は、このような義歯が高い寿命を得るのに十分な強度を備え、同時に義歯が十分な美的効果を有し、自然の歯の外観に匹敵することが保証されるように、冒頭に挙げた種類の義歯の改良した作成方法を提供することである。またこうして作成された義歯の取り扱い、経済性及び品質に関して改善された方法を提供することである。
【課題を解決するための手段及び発明の効果】
【００２３】
本発明によれば、上記の課題はおおむね次のようにして解決される。即ち義歯のための材料として、義歯の通常の利用で最大限現われる引張応力が使用材料の引張強さの約０．１−０．７倍に相当するような材料を使用するのである。
【００２４】
特に義歯に最大限現われる引張応力は使用材料の引張強さの≦０．５倍、特に０．２−０．５倍に相当すべきである。
【００２５】
本発明によれば義歯の寸法の設計は、例えば肉厚にせよ、例えば材料横断面にせよ、あるいは歯根からなる支柱の間の区域のブリッジ部材の結合半径にせよ、引張応力による負荷に関連して行われる。これによって美観の損失を我慢せずに、義歯が必要な強度を備えることが保証される。換言すれば、義歯の通常の負荷で破損の危険が起こることなく、すらりとした外観を与えることができるのである。その場合特に強い負荷が掛かる区域に関して、義歯の寸法は使用材料の引張強さに合わせて設計される。例えば義歯用セラミック材料としてＡｌ２Ｏ３を利用する場合は、材料の引張強さは３５０Ｎ／ｍｍ２であるから、最も強い負荷が掛かる区域では３５ないし２４５Ｎ／ｍｍ２、特に約１７５Ｎ／ｍｍ２の最大引張応力が現われてもよい。ブリッジではブリッジ部材と歯根からなる支柱との接合区域にこの最大引張応力が現われる。６５０Ｎ／ｍｍ２の引張強さを有するＹ２Ｏ３安定化ＺｒＯ２をセラミック材料として使用するならば、それに応じて最大負荷区域に６５ないし４５５Ｎ／ｍｍ２、特に≦３２５Ｎ／ｍｍ２の引張応力が現われるように義歯の寸法を設計しなければならない。
【００２６】
またオフセット値を軸に応じて設定すべきである。
【００２７】
また本発明によれば、義歯を形成歯根に固定するためのセメントその他の結合剤を収容する確実かつ正確なギャップを、希望どおりのギャップ幅の経過で得ることができる。こうして間隔保持塗料の手塗りの場合に塗膜の最適厚さ、均一性及び再現性の順守に関して生じる公知の方法のリスクをなくすことができる。特にギャップを軸に応じて形成することにより、義歯と歯根の最適な整合と相互の結合を可能にすることが保証される。
【００２８】
歯冠又は歯橋と歯根とのすべての慣用の固定技術にとって、オフセット値が１５０μｍ以下であれば好都合である。
【００２９】
陽性モデルの内面によって画定される空洞部の縁端の小さな値から空洞部の尖端の大きな値に至るまでギャップが様々であるならば、特に空洞部の縁端のギャップが５μｍ未満、とりわけ２．８μｍ未満、特に１．５μｍｍ以下であるならば、義歯と歯根の境界面の区域に極めて小さなギャップ寸法が得られ、それとともにその後の虫歯発生に対する特に優れた抵抗性が得られる。
【００３０】
本発明の方法がさらに下記の工程、：即ち陽性モデルの隣接区域のデータに基づきデータの妥当性検査を行い、場合によっては警告を発することを特徴とするならば、本発明方法は係員の介入がなくても特に確実である。
【００３１】
別の有利な実施態様では、本発明の方法はさらに下記の工程、：即ちとりわけ個々の欠陥のあるデータ点又は妥当でないデータ点を、陽性モデルの隣接区域のデータに基づき補間値に置き換え、陽性モデルのデータの外面及び／又は内面を平滑化関数により平滑化することを特徴とする。
【００３２】
義歯と歯根の間に空洞が形成されると、そこから通常歯根のその後の虫歯の発生とともにブリッジの支持歯の破壊が予想されるが、これを回避するために本方法は好ましくはさらに下記の工程、：即ち隣接区域のデータに基づきアンダーカットについて陽性モデルの内面のデータの検査を行い、場合によっては警告を発することを特徴とする。
【００３３】
患者のその後の利用の際に義歯の破損に対する特に高い安全性を得るために、本方法はさらに下記の工程、：即ち陽性モデルの内面のデータと陽性モデルの外面のデータを比較することによって陽性モデルの肉厚を計算し、肉厚の値を肉厚最小値と比較し、少なくとも肉厚最小値が得られるように陽性モデルの外面のデータを修正し、及び／又は特に最小肉厚値が少なくとも約０．５ｍｍ、とりわけ約０．１ｍｍ、特に少なくとも約０．３ｍｍであるならば、警告を発することを特徴とする。
【００３４】
また義歯の有利な設計を保証するために、陽性モデルの外面及び／又は内面の半径と少なくとも約０．１ｍｍ、とりわけ約０．２ｍｍ、特に０．３ｍｍの最小半径とを比較し、陽性モデルの外面及び／内面のデータを修正することによって、少なくとも最小半径が得られることを保証し、及び／又は警告を発することが好ましい。
【００３５】
特に安定した耐久的なブリッジを作成するために、本方法はさらに下記の工程、：即ち歯根からなる2本の支柱の間の区域のブリッジ部材の材料横断面を計算し、この横断面と最小値を比較し、少なくとも最小値が得られるように陽性モデルの外面のデータを修正し、特に最小値が少なくとも約２ｍｍ２、とりわけ約５ｍｍ２、特に少なくとも約７ｍｍ２であるならば警告を発することを特徴とする。
【００３６】
慣用のフライスのために十分な丸みのない歯根の尖端形成であまりに狭隘な義歯空洞部を避けるために、本発明の方法はさらに下記の工程、：即ち陽性モデルの内面の半径を計算し、この半径の値と最小半径を比較し、少なくとも最小半径が得られるまで空洞部が拡大されるように陽性モデルの内面のデータを修正し、及び／又は警告を発することを特徴とする。
【００３７】
使用する工作機械の制御方式によっては、本発明の方法がさらに下記の工程、：即ちその後の加工の際に工具輪郭に整合させるために、陽性モデルに所定のオフセット値を適用することを特徴とすることが好ましい。
【００３８】
仕上の機械加工の後に寸法の変化が生じる半成品、例えば成形加工の後にさらに仕上焼結をしなければならず、その際収縮する未焼結又は予備焼結セラミック半成品から義歯を作成する場合は、本発明の方法はさらに下記の工程、：即ち仕上時の義歯材料の収縮又は膨張を補償するために、陽性モデルのデータに拡大率を適用することを特徴とすることが好ましい。拡大率が非線形及び／又は異方性ならば、特に良好な整合のために好都合である。
【００３９】
特に実際に異方性又は不均質の半成品では、拡大率が三次元伝達関数ｆ（ｘ，ｙ，ｚ）によって決定されるならば特に正確に整合する義歯を得ることができる。その場合三次元伝達関数ｆ（ｘ，ｙ，ｚ）はセラミック半成品の三次元密度分布Ｆ（ｘ，ｙ，ｚ）によって決定することが好ましい。
【００４０】
また作成の広範な自動化のために、本方法は加工する半成品に割当てられた伝達関数ｆ（ｘ，ｙ，ｚ）又は密度分布Ｆ（ｘ，ｙ，ｚ）をデータ媒体から読み取ることを特徴とすることが好ましい。特にデータ媒体がバーコードラベル、読取り装置により読み出されるトランスポンダタグ又は半成品に取り付けられた識別手段を介してアクセスできるデータバンクであるならば好都合である。
【００４１】
発明のその他の細部、利点及び特徴は特許請求の範囲及び特許請求の範囲に見られる特徴−単独で及び／又は組み合わせとして−だけでなく、図面に見られる実施例の下記の説明からも明らかである。
【発明を実施するための最良の形態】
【００４２】
図１は２個の形成した歯根１及び２を示す。歯根の上側区域３及び４は義歯を受けるために研削されている。この場合義歯はブリッジ基体５を具備する。基体５は通常化粧面及び咀嚼面を作るために、さらに外装６を備えている。ブリッジ基体５はセメントギャップ７及び８の歯科用セメントの層によってそれぞれ歯根１、２に固定されている。
【００４３】
特にギャップ７、８即ちセメントギャップは図示の便宜上全く寸法を守らずに示されている。
【００４４】
本発明によれば義歯、即ち本例では外装６を有するブリッジ基体５を所望のギャップ７、８で作成するために、義歯を挿着する顎のマスターモデルがまず製作される。マスターモデルは患者の口腔の状態をオス型で示しており、メス型に相当する型から得られる。陽性モデルを得るために、歯科技工士は手工業的技能を用いて、作成する義歯基体の型をマスターモデルでろう及び低温で融解及び重合する硬化性プラスチックで型取りする。この陽性モデルをデジタル化する。その場合公知の光学的又は機械的方法を適用することができる。同時に所望の適合精度を得るために、オフセット値を入力することによってその後の義歯と歯根の間にギャップを生じさせる。その場合ギャップ幅は軸に依存する。即ち特にＺ方向にゆがみが生じ、一方、下側縁端区域では場合によっては０（ゼロ）になるような小さなギャップ寸法が選ばれる。
【００４５】
このことは別として、作成する基体又は義歯の寸法は、通常の負荷で最大限現われる引張応力が使用材料の引張強さの約０．１−０．７倍に相当するように設計される。単なる一例として幾つかのセラミックを挙げれば、例えばＡｌ２Ｏ３、酸化ジルコニウム混晶（ＺｒＯ２／Ｙ−ＴＺＰ）、ＭｇＯ、Ｙ２Ｏ３又はＴｉＯ２が材料として考えられる。
【００４６】
例えばＡｌ２Ｏ３を使用する場合は、最大引張応力が２４５Ｎ／ｍｍ２を超えないように注意しなければならない。しかし通常は最大引張応力１７５Ｎ／ｍｍ２の材料設計で十分である。
【００４７】
本発明の方法により義歯５を作成する場合は、その後の義歯５と歯根１、２との間にセメントギャップ７、８を形成するために表面モデルの内面９に適用するオフセット値を、係員が対話式にセットするか、又はプログラミングにより固定的に設定することができる。
【００４８】
陽性モデルの内面９で画定される空洞部の縁端１０の小さな値から空洞部の尖端１１の大きな値に至るまでギャップが様々であるならば、特に空洞部の縁端１０のギャップが５μｍ未満、とりわけ２．８μｍ未満、特に１．５μｍ以下であるならば、義歯５と歯根１、２の境界面の区域に極めて小さなギャップ寸法が得られ、それとともにその後の虫歯発生に対する特に良好な抵抗性が得られる。
【００４９】
義歯５と歯根１、２の間に空洞が形成されると、そこから通常歯根１、２のその後の虫歯発生とともにブリッジ５の支持歯の破損が予想される。これを回避するために、さらに陽性モデルの隣接区域のデータに基づいて陽性モデルの内面９のデータをアンダーカットについて検査することが好ましい。アンダーカットによって義歯を歯根１、２の上に差し込むことができなくなるか、又は空洞が形成されるからである。
【００５０】
患者のその後の利用の際に義歯５の破損に対する特に高い安全性を得るために、さらに陽性モデルの内面９のデータと陽性モデルの外面１２のデータの比較によってデータモデルの肉厚を計算し、この肉厚の値と肉厚最小値を比較する。肉厚最小値は歯科医又は歯科技工士が入力して決定するか、又はプログラミングにより固定的にプリセットすることができる。酸化ジルコニウムセラミックを使用する場合は、肉厚最小値がとりわけ約０．１ｍｍないし０．３ｍｍであることが好ましい。
【００５１】
特に安定した耐久的なブリッジ５の作成のために、歯根１、２からなる２本の支柱の間の区域１３、１４のブリッジ部材の材料横断面を計算し、この横断面と、係員が対話式にセットするか、又はプログラミングにより固定的に設定することができる最小値とを比較し、少なくとも最小値が得られるように陽性モデルの外面１２のデータを修正することが好ましい。とりわけ酸化イットリウムで強化した酸化ジルコニウムセラミックの場合は、この最小値は約２ｍｍ２ないし７ｍｍ２である。
【図面の簡単な説明】
【００５２】
【図１】ブリッジの形の義歯を有する２本の歯根の横断面概略図である。
【国際公開パンフレット】
2004534608.tif 000003
2004534608.tif 000004
2004534608.tif 000005
2004534608.tif 000006
2004534608.tif 000007
2004534608.tif 000008
2004534608.tif 000009
2004534608.tif 000010
2004534608.tif 000011
2004534608.tif 000012
2004534608.tif 000013
2004534608.tif 000014
2004534608.tif 000015
2004534608.tif 000016
2004534608.tif 000017
2004534608.tif 000018
2004534608.tif 000019
2004534608.tif 000020
2004534608.tif 000021
2004534608.tif 000022
【国際調査報告】
2004534608.tif 000023
2004534608.tif 000024
2004534608.tif 000025
2004534608.tif 000026